(57)【特許請求の範囲】
【請求項１】
赤外線センサーと、
前記赤外線センサーの受光部と対向する位置に、複数の仕切部によって格子状に仕切られた開口を有するカバーと、を備え、
前記複数の仕切部のうち前記受光部の受光方向の中心線から離れた位置にある一部の仕切部は、前記受光部に向かって傾斜する傾斜面を有する
ことを特徴とする浴室乾燥機。
【請求項２】
前記一部の仕切部の幅および高さは、前記受光部のレンズ径よりも短い
ことを特徴とする請求項１に記載の浴室乾燥機。
【請求項３】
前記複数の仕切部には、
前記受光部の受光方向の中心線を中心として十字に形成される第１の仕切部と、
前記第１の仕切部のうち一方の延伸部と平行に延伸し、前記第１の仕切部のうち他方の延伸部に中途部が連結される、前記一部の仕切部である複数の第２の仕切部と、を有し、
前記第１の仕切部の高さは、前記第２の仕切部の高さよりも高い
ことを特徴とする請求項１または２に記載の浴室乾燥機。
【請求項４】
前記第１の仕切部のうち前記受光部と対向する面が前記受光部の中心に向かって傾斜して形成される
ことを特徴とする請求項３に記載の浴室乾燥機。
【請求項５】
前記複数の仕切部のうち隣接する仕切部同士の間隔は、１ｍｍから４ｍｍまでの範囲内である
ことを特徴とする請求項１から４のいずれか一つに記載の浴室乾燥機。
【発明の詳細な説明】
【技術分野】
【０００１】
本発明は、赤外線受信部を有する浴室乾燥機に関する。
【背景技術】
【０００２】
浴室乾燥機は、浴室の天井、壁、または窓の開口部に挿入して取り付けられ、換気、暖房、および乾燥などの空調を行う。かかる浴室乾燥機には、リモートコントローラからの赤外線を受信する赤外線受信部、または浴室から発せられる赤外線を受信したりする赤外線受信部などが設けられる場合がある。【０００３】
例えば、特許文献１には、物体表面から発せられる赤外線を受信することで浴室内の温度を検出するセンサーを有し、かかるセンサーによって検出された浴室内の温度に基づいて浴室乾燥機の制御を行う技術が開示されている。
【先行技術文献】
【特許文献】
【０００４】
【特許文献１】特開２０１５−１９４２９７号公報
【発明の概要】
【発明が解決しようとする課題】
【０００５】
赤外線受信部が設けられる浴室乾燥機において、浴室乾燥機の構成によっては、赤外線受信部の内部を人などが直接接触できないようにするための絶縁性が赤外線受信部に求められることがある。この場合、赤外線受信部のカバーに形成され赤外線を通過させるための開口に格子を設けることで赤外線受信部に絶縁性を持たせることができるが、開口に設けた格子により受信範囲に死角ができ、受信性能が低下する可能性がある。【０００６】
本発明は、上記に鑑みてなされたものであって、赤外線受信部の受信性能の低下を抑制しつつ赤外線受信部に絶縁性を持たせることができる浴室乾燥機を得ることを目的とする。
【課題を解決するための手段】
【０００７】
上述した課題を解決し、目的を達成するために、本発明に係る浴室乾燥機は、赤外線センサーと、赤外線センサーの受光部と対向する位置に、複数の仕切部によって格子状に仕切られた開口を有するカバーと、を備える。複数の仕切部のうち受光部の受光方向の中心線から離れた位置にある一部の仕切部は、受光部に向かって傾斜する傾斜面を有する。
【発明の効果】
【０００８】
本発明に係る浴室乾燥機は、赤外線受信部の受信性能の低下を抑制しつつ赤外線受信部に絶縁性を持たせることができる、という効果を奏する。
【図面の簡単な説明】
【０００９】
【図１】本発明の実施の形態１にかかる浴室乾燥機の外観斜視図
【図２】実施の形態１にかかる浴室乾燥機の側面図
【図３】実施の形態１にかかる浴室乾燥機の正面図
【図４】図３に示すIV-IV線に沿った断面図
【図５】実施の形態１にかかる赤外線受信部の正面図
【図６】図４の一部を拡大した図
【図７】実施の形態１にかかる赤外線受信部の他の例を示す図
【図８】実施の形態１にかかる赤外線受信部の他の格子の構成例を示す図
【発明を実施するための形態】
【００１０】
以下に、本発明の実施の形態にかかる浴室乾燥機を図面に基づいて詳細に説明する。なお、この実施の形態によりこの発明が限定されるものではない。
【００１１】
実施の形態１．
図１は、本発明の実施の形態１にかかる浴室乾燥機の外観斜視図である。図２は、実施の形態１にかかる浴室乾燥機の側面図である。図３は、実施の形態１にかかる浴室乾燥機の正面図である。図１〜図３を含む図面には、説明を分かりやすくするために、鉛直上向きを正方向とするＺ軸を含む３次元の直交座標系を図示している。
【００１２】
図１〜図３に示す浴室乾燥機１００は、浴室の天井に設置され、天井裏と屋外とを繋いで配設されるダクトに接続される。図１〜図３では、天井とダクトとの図示を省略している。なお、浴室乾燥機１００は、浴室の壁または窓に設置されてもよい。
【００１３】
図１に示すように、実施の形態１にかかる浴室乾燥機１００は、風路を形成する箱状の本体部１と、本体部１に連結され、浴室側に配置されるパネル部２と、パネル部２に取り付けられるフィルター３とを備える。本体部１は、浴室内から天井に設けられた開口を通して天井裏へ挿入され、天井裏に配置される。
【００１４】
本体部１の内部には、送風機の一例であるシロッコファン１１、ダンパー１２、ヒータ１３、およびファンモータ１４などが配置される。また、本体部１の側面には、浴室内から取り込まれた空気が浴室の外へ排出される排気空気として通過する排気口１５が設けられている。かかる排気口１５は、天井裏と屋外とを繋いで配設されるダクトに接続される。
【００１５】
パネル部２は、浴室天井面から露出した状態で配置される。パネル部２は、本体部１に連結されたパネルベース２０と、パネルベース２０に連結されるフラットパネル３０とを備える。フラットパネル３０は、パネルベース２０の下方側を覆う。パネル部２のうち下方へ向けられる面は、意匠面である。図１および図３のように意匠面にはリモートコントローラからの赤外線を受信するための赤外線受信部５０が設けられる。かかる赤外線受信部５０については、後で説明述する。
【００１６】
パネルベース２０には、シロッコファン１１と対向する領域が開口しており、かかる開口が吸込口２１として形成される。吸込口２１は、シロッコファン１１の動作によって浴室から本体部１に吸い込まれる空気が通過する。また、パネルベース２０には、ヒータ１３と対向する領域が開口しており、かかる開口が循環口２２として形成される。かかる循環口２２からヒータ１３によって暖められた空気が循環空気として浴室内に吹き出して、浴室内に供給される。
【００１７】
浴室乾燥機１００の運転モードには、浴室内の空気を外へ排気する換気運転モード、浴室内の空気をヒータ１３で暖めて浴室内へ戻す暖房運転モード、および浴室内の空気の一部を換気し一部を暖めて浴室内へ戻す乾燥運転モードなどがある。
【００１８】
図２に示すシロッコファン１１は、ファンモータ１４の駆動によって回転し、かかるシロッコファン１１の回転によって、浴室内の空気が吸込口２１を介して本体部１に吸い込まれる。シロッコファン１１によって本体部１に吸い込まれた空気は、ダンパー１２へ送られる。ダンパー１２は、不図示のダンパー用モータで駆動される。ダンパー用モータの駆動によってダンパー１２の位置が変わる。かかるダンパー１２の位置が変わると、排気口１５と循環口２２へ送る空気の割合が変わる。
【００１９】
ダンパー１２の位置は、換気運転モード、暖房運転モード、および乾燥運転モードの各運転モードに応じて変更され、各運転モードに合ったダンパー１２の位置で、ファンモータ１４からの空気が排気口１５側と循環口２２側とへ導かれる。排気口１５側へ送られた空気は、排気口１５を通過しダクトを通じて室外へ送られる。循環口２２側へ送られた空気は、ヒータ１３を通過して暖められ、浴室内へと戻される。
【００２０】
以下、赤外線受信部５０について具体的に説明する。図４は、図３に示すIV−IV線に沿った断面図である。図４に示す赤外線受信部５０は、浴室乾燥機１００の運転を操作する不図示のリモートコントローラからの赤外線を受信する。
【００２１】
図４に示すように、実施の形態１にかかる赤外線受信部５０は、赤外線を受信する赤外線センサー５１と、赤外線センサー５１が搭載される基板５２と、基板５２を固定し且つＺ軸正方向である上方から覆うケース５３と、赤外線センサー５１および基板５２をＺ軸負方向である下方から覆うカバー５４と、カバー５４に貼り付けられる意匠シール５５とを備える。
【００２２】
カバー５４には、赤外線センサー５１の受光部５１ａと対向する位置に開口６０が形成される。カバー５４の開口６０を通じて、ケース５３とカバー５４とで囲まれた赤外線受信部５０の内部に赤外線が進入する。赤外線センサー５１は、開口６０を介して赤外線受信部５０の内部に進入した赤外線を受光部５１ａで受光し、受光部５１ａで受光した赤外線に応じた電気信号を出力する。なお、受光部５１ａの表面は、球面状に形成されるが、平面状に形成されてもよい。
【００２３】
赤外線センサー５１には、受光部５１ａと、受光部５１ａで受光した赤外線に応じた電気信号に変換する回路などが含まれているが、図４では、赤外線受信部５０の断面全体にハッチングを付している。なお、図示していないが、受光部５１ａは、レンズと、レンズによって集光される赤外線を受光する受光素子とを備える。
【００２４】
赤外線センサー５１および基板５２は、意匠シール５５が貼り付けられたカバー５４とケース５３とによって覆われており、これにより、赤外線受信部５０は、カバー５４に形成された開口６０から水が入らない防水構造になっている。また、カバー５４の開口６０には格子７０が形成されている。かかる格子７０によって、赤外線受信部５０において、浴室乾燥機１００の外部から人などが内部に位置する赤外線センサー５１を直接接触できないようにするための絶縁構造が形成される。これにより、例えば、作業者等が開口６０を介して赤外線センサー５１および基板５２に接触することを防止することができる。
【００２５】
図５は、実施の形態１にかかる赤外線受信部の正面図であり、赤外線受信部５０の意匠シール５５を剥がした状態を示している。また、図６は、図４の一部を拡大した図である。
【００２６】
図５に示すように、格子７０は、赤外線センサー５１における受光部５１ａの受光方向の中心線Ｌｒを中心として十字を形成する第１の仕切部７１と、中心線Ｌｒから離れた位置にある第２の仕切部７２とを有する。受光部５１ａの受光方向の中心線Ｌｒは、図４に示すように、受光部５１ａが向く方向であって受光部５１ａのレンズ中心を通る方向であり、例えば、受光部５１ａで受光可能な赤外線の到来方向の範囲の中心方向である。
【００２７】
第１の仕切部７１は、互いに直交交差する第１の延伸部７１ａと第２の延伸部７１ｂとを有する。第１の延伸部７１ａは、Ｘ軸方向に延伸し、第２の延伸部７１ｂは、Ｙ軸方向に延伸する。第２の仕切部７２は、第１の延伸部７１ａを中心として互いに対称に配置されており、第１の延伸部７１ａと間隔を空けて平行に延伸する。なお、開口６０は、円状の開口であるが、方形状の開口であってもよい。
【００２８】
図６に示すように、第２の仕切部７２は、受光部５１ａのレンズ径Φ１よりも、幅Ｗ２および高さＨ２が短く、かつ、受光部５１ａに向かって傾斜する傾斜面７２ａを有している。また、カバー５４において開口６０を形成する縁部５６も同様に、受光部５１ａに向かって傾斜する傾斜面５６ａを有している。
【００２９】
これにより、赤外線センサー５１の受信最大角度θｍａｘから見た場合においても、受光部５１ａの一部は第２の仕切部７２に隠れず、受光部５１ａを覗くことができる。したがって、受信最大角度θｍａｘからリモートコントローラの赤外線が到来した場合であっても、赤外線センサー５１は、赤外線を受信することができる。
【００３０】
このように、第２の仕切部７２の傾斜形状、縁部５６の傾斜形状、および第２の仕切部７２の幅Ｗ２と高さＨ２を調整することで、赤外線受信部５０の受信可能範囲の全角度からリモートコントローラの赤外線を受光することができ、受信可能範囲における死角がなく、リモートコントローラによる操作を行うことができる。
【００３１】
また、第１の仕切部７１は、受光部５１ａと対向する面７１ｃ，７１ｄが受光部５１ａの中心に向かって傾斜して形成される。これにより、第１の仕切部７１と第２の仕切部７２との間から中心線Ｌｒに対して角度をもって到来する赤外線は、第１の仕切部７１によって遮断されにくくなり、赤外線センサー５１でより受信し易くなる。
【００３２】
なお、図６等に示す例では、カバー５４の縁部５６に傾斜面５６ａを有する構成であるが、赤外線受信部５０の受信可能範囲の全角度から第２の仕切部７２を覗くことができ、リモートコントローラの赤外線を受光することができれば、縁部５６に傾斜面５６ａを有しない構成であってもよい。なお、受信可能範囲における死角が完全にない状態にすることが望ましいが、赤外線受信部５０は、第２の仕切部７２の傾斜形状、縁部５６の傾斜形状、および第２の仕切部７２の幅Ｗ２と高さＨ２を調整することで、受信可能範囲における死角を低減する構成であってもよい。
【００３３】
また、図６に示すように、第１の仕切部７１の高さＨ１は、第２の仕切部７２の高さＨ２よりも高い。このように、第１の仕切部７１の高さＨ１を第２の仕切部７２の高さＨ２よりも高くすることで、第１の仕切部７１の高さ方向の強度を高くすることができる。また、第１の仕切部７１の幅Ｗ１は、第２の仕切部７２の幅Ｗ２よりも短く、赤外線受信部５０の受信可能範囲に実質的に影響を与えない。
【００３４】
第１の仕切部７１は十字に形成され、第２の仕切部７２は、第１の仕切部７１の第２の延伸部７１ｂを横断するように第２の延伸部７１ｂに接続される。これにより第２の仕切部７２の中央部でも第２の延伸部７１ｂを介して縁部５６に支持されることから、第１の仕切部７１がない場合に比べ、第２の仕切部７２が破損し難くなる。
【００３５】
具体的には、第１の仕切部７１の第２の延伸部７１ｂがない場合、第２の仕切部７２の一端部と他端部とが縁部５６に接続され、第２の仕切部７２に負荷がかかったときに、第２の仕切部７２と縁部５６との接続部分を起点としたモーメントの負荷が大きい。一方、赤外線受信部５０は、第１の仕切部７１を有する。そのため、第２の仕切部７２と縁部５６との接続部分と、第２の仕切部７２と第１の仕切部７１の第２の延伸部７１ｂとの接続部分とを起点としたモーメントの負荷が、第２の延伸部７１ｂがない場合に比べ軽減されることになる。これにより、第２の仕切部７２が破損し難くなる。
【００３６】
第１の仕切部７１の第１の延伸部７１ａと第２の仕切部７２との間隔である図６に示す仕切間隔Ｄ１は、１〜４ｍｍである。仕切間隔Ｄ１が狭すぎる場合、第２の仕切部７２に傾斜面７２ａを形成すると第２の仕切部７２が細くなり、第２の仕切部７２の強度の確保が難しくなる。また、意匠シール５５を剥がした状態で絶縁性を確保する必要がある。仕切間隔Ｄ１が広すぎると、子供が指またはペンで赤外線センサー５１または基板５２に触れることができてしまうが、仕切間隔Ｄ１が４ｍｍ以内であれば、赤外線センサー５１または基板５２に触れられ難くなり、絶縁性を確保することができる。なお、第２の仕切部７２と縁部５６との間隔Ｄ２も、１〜４ｍｍである。
【００３７】
なお、格子７０は、上述した例に限定されない。図７は、実施の形態１にかかる赤外線受信部の他の例を示す図であり、図３に示すIV-IV線に沿った断面図を示している。図７に示す例では、第２の仕切部７２のうち赤外線センサー５１と対向する面７２ｂは、傾斜面７２ａと同じ傾斜角の傾斜面である。すなわち、第２の仕切部７２の面７２ｂは、受光部５１ａに向かって傾斜する傾斜面である。これにより、リモートコントローラからの赤外線のうち第２の仕切部７２によって遮断される部分が減少し、リモートコントローラからの赤外線を赤外線センサー５１でより受信し易くすることができる。
【００３８】
また、上述した例では、第２の仕切部７２の数が２つであったが、第２の仕切部７２の数は２つに限定されない。図８は、実施の形態１にかかる赤外線受信部の他の格子の構成例を示す図であり、赤外線受信部５０の正面図である。図８に示す格子７０は、１つの第１の仕切部７１と４つの第２の仕切部７２で構成される。
【００３９】
図８に示す第２の仕切部７２は、図６に示す第２の仕切部７２または図７に示す第２の仕切部７２と同様に形成される。なお、図８に示す格子７０は、第１の仕切部７１の第１の延伸部７１ａから遠い第２の仕切部７２ほど傾斜面７２ａの傾斜角が小さくなるように構成することもできる。この場合、各第２の仕切部７２の傾斜面７２ａは、例えば、受光部５１ａの中心に向かって傾斜するように構成することができる。なお、図８に示す格子７０は、図６に示す格子７０と同様に、第１の仕切部７１の第１の延伸部７１ａと第２の仕切部７２との間隔である仕切間隔Ｄ１は、１〜４ｍｍである。また、第２の仕切部７２と縁部５６との間隔Ｄ２、および隣接する第２の仕切部７２同士の間隔Ｄ３も、仕切間隔Ｄ１と同様に、１〜４ｍｍである。
【００４０】
なお、上述した赤外線受信部５０は、リモートコントローラからの赤外線による信号を受信するものとして説明したが、赤外線受信部５０は、リモートコントローラからの赤外線以外の赤外線を受信する構成であってもよい。例えば、赤外線受信部５０は、物体表面から発せられる赤外線を受信することで浴室内の温度を検出する赤外線センサーを含む構成であってもよい。
【００４１】
また、上述した例では、浴室乾燥機１００は、換気運転モード、暖房運転モード、および乾燥運転モードを運転モードとして有しているが、換気運転モードおよび暖房運転モードを設けない構成であってもよい。
【００４２】
以上のように、実施の形態１にかかる浴室乾燥機１００は、赤外線センサー５１と、赤外線センサー５１の受光部５１ａと対向する位置に、第１の仕切部７１および複数の第２の仕切部７２によって格子状に仕切られた開口６０を有するカバー５４とを備える。複数の第２の仕切部７２は、受光部５１ａの受光方向の中心線Ｌｒから離れた位置にあり、受光部５１ａに向かって傾斜する傾斜面７２ａを有する。これにより、赤外線受信部５０の受信範囲の死角の低減または死角を無くすことができ、赤外線受信部５０の受信性能の低下を抑制しつつ赤外線受信部５０に絶縁性を持たせることができる。そのため、例えば、赤外線受信部５０の回路に浴室乾燥機１００の電源電圧が加わっている場合、または赤外線受信部５０の回路に加わる電圧は低電圧であるものの、赤外線受信部５０に加わる電圧を決めるトランスが基礎絶縁に相当するトランスである場合などにおいて、絶縁性を確保することができる。また、絶縁構造を格子７０とすることで、別部品で赤外線を透過するカバーを設ける必要がなく、コストが抑制できる。
【００４３】
また、第２の仕切部７２の幅Ｗ２および高さＨ２は、受光部５１ａのレンズ径Φ１よりも短い。これにより、赤外線受信部５０の受信範囲の死角のさらなる低減または死角を無くすことができる。
【００４４】
また、第１の仕切部７１は、受光部５１ａの受光方向の中心線Ｌｒを中心として十字に形成され、第２の仕切部７２よりも高さが高い。第２の仕切部７２は、第１の仕切部７１のうち一方の延伸部である第１の延伸部７１ａと平行に延伸し、第１の仕切部７１のうち他方の延伸部である第２の延伸部７１ｂに中途部が連結される。これにより、第２の仕切部７２に負荷がかかった場合、モーメントによる第２の仕切部７２の他の要素との連結部分に加わる負荷が軽くなり、格子７０の強度を向上させることができる。また、赤外線受信部５０を掃除するとき、格子７０が強く押されたとき、または格子７０に物が当ったときなどのように、格子７０に負荷がかかった場合でも格子７０の破損が抑制されるため、絶縁構造を確保することが可能となる。
【００４５】
また、第１の仕切部７１のうち受光部５１ａと対向する面７１ｃ，７１ｄが受光部５１ａの中心に向かって傾斜して形成される。これにより、赤外線受信部５０の受信性能の低下をより抑制しつつ赤外線受信部５０に絶縁性を持たせることができる。
【００４６】
また、第１の仕切部７１および複数の第２の仕切部７２のうち隣接する仕切部同士の間隔は、１ｍｍから４ｍｍまでの範囲内である。これにより、例えば、意匠シール５５などの意匠シートがケース５３から剥がれた場合であっても、人間の指のみならずペン程度の太さの物体が格子７０の隙間に入らず絶縁性を確保できる。
【００４７】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００４８】
１  本体部、２  パネル部、３  フィルター、１１  シロッコファン、１２  ダンパー、１３  ヒータ、１４  ファンモータ、１５  排気口、２０  パネルベース、２１，４０  吸込口、２２  循環口、３０  フラットパネル、５０  赤外線受信部、５１  赤外線センサー、５１ａ  受光部、５２  基板、５３  ケース、５４  カバー、５５  意匠シール、５６  縁部、５６ａ，７２ａ  傾斜面、６０  開口、７０  格子、７１  第１の仕切部、７１ａ  第１の延伸部、７１ｂ  第２の延伸部、７１ｃ，７１ｄ，７２ｂ  面、７２  第２の仕切部、１００  浴室乾燥機、Ｌｒ  中心線。
【図１】
0006956898.tif 000002
【図２】
0006956898.tif 000003
【図３】
0006956898.tif 000004
【図４】
0006956898.tif 000005
【図５】
0006956898.tif 000006
【図６】
0006956898.tif 000007
【図７】
0006956898.tif 000008
【図８】
0006956898.tif 000009